(57)【要約】  送信信号前処理情報の送信を行なうことができない場合に、その直後に行なわれる受信品質情報がどの送信信号前処理情報を利用して算出されたものなのかを明確にし、基地局装置が適切な通信リソース割り当てを行なう。受信品質情報および送信信号前処理情報を含むフィードバック情報を生成するフィードバック情報制御部６５と、生成されたフィードバック情報を基地局装置に対して送信する送信部４１、４３〜４５、４７と、を備え、フィードバック情報制御部は、送信部４１、４３〜４５、４７が、基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に送信する受信品質情報を、予め定義された送信信号前処理情報を用いて算出する。
2009157364.tif 000002
【特許請求の範囲】
【請求項１】
受信品質情報を算出し、基地局装置に送信する移動局装置であって、
前記受信品質情報を、
前記基地局装置から送信される信号から算出した送信信号系列数情報および送信信号前処理情報に基づいて算出する方式、または、
予め決められた送信信号系列数情報および送信信号前処理情報に基づいて算出する方式、のいずれか一方を選択して算出することを特徴とする移動局装置。
【請求項２】
送信信号系列数情報、送信信号前処理情報および前記送信信号系列数情報と送信信号前処理情報に基づいて算出した受信品質情報を含むフィードバック情報を、周期的に上りリンク制御チャネルを使用して基地局装置に送信する移動局装置であって、
前記送信信号前処理情報を送信しなかった場合、前記送信信号前処理情報を送信しなかったときから次に送信信号前処理情報を送信するまでの間に送信する受信品質情報を、予め定義された送信信号前処理情報を用いて算出することを特徴とする移動局装置。
【請求項３】
送信信号系列数情報、送信信号前処理情報および前記送信信号系列数情報と送信信号前処理情報に基づいて算出した受信品質情報を含むフィードバック情報を、周期的に上りリンク制御チャネルを使用して基地局装置に送信する移動局装置であって、
前記送信信号系列数情報および前記送信信号前処理情報を送信しなかった場合、前記送信信号系列数情報および前記送信信号前処理情報を送信しなかったときから、次に送信信号系列数情報および前記送信信号前処理情報を送信するまでの間に送信する受信品質情報を、予め定義された送信信号系列数情報および送信信号前処理情報に基づいて算出することを特徴とする移動局装置。
【請求項４】
前記予め定義した前記送信信号前処理情報が、前記基地局装置から送信される信号によって設定されることを特徴とする請求項１または請求項２記載の移動局装置。
【請求項５】
フィードバックする受信品質情報が、前記予め定義した送信信号系列数情報と、前記予め定義した送信信号前処理情報とに基づいて生成されたものであるか否かを示す情報をフィードバックすることを特徴とする請求項１から請求項３のいずれかに記載の移動局装置。
【請求項６】
前記予め定義した送信信号系列数情報が、最小の値であることを特徴とする請求項３記載の移動局装置。
【請求項７】
前記予め定義した送信信号系列数情報が、最大の値であることを特徴とする請求項３記載の移動局装置。
【請求項８】
基地局装置と無線通信を行なう移動局装置であって、
受信品質を表す受信品質情報および前記基地局装置で送信信号を前処理するために用いられる送信信号前処理情報を含むフィードバック情報を生成するフィードバック情報制御部と、
前記生成されたフィードバック情報を前記基地局装置に対して送信する送信部と、を備え、
前記送信部は、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に割り当てられた通信リソースを用いて、前記送信しなかった送信信号前処理情報を前記基地局装置に対して送信することを特徴とする移動局装置。
【請求項９】
基地局装置と無線通信を行なう移動局装置であって、
受信品質を表す受信品質情報および前記基地局装置で送信信号を前処理するために用いられる送信信号前処理情報を含むフィードバック情報を生成するフィードバック情報制御部と、
前記生成されたフィードバック情報を前記基地局装置に対して送信する送信部と、を備え、
前記送信部は、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間では、受信品質情報の送信を停止することを特徴とする移動局装置。
【請求項１０】
送信信号系列数情報、送信信号前処理情報および前記送信信号系列数情報と、送信信号前処理情報に基づいて算出した受信品質情報を含むフィードバック情報を、周期的に上りリンク制御チャネルを使用して基地局装置に送信する移動局装置であって、
前記送信信号前処理情報が送信されなかった場合、送信信号前処理情報の送信が不要な送信モードに基づいて受信品質情報を算出することを特徴とする移動局装置。
【請求項１１】
前記送信信号前処理情報の送信が不要な通信モードにおいて、前記送信モードに対応した受信品質情報を送信することを特徴とする請求項１０記載の移動局装置。
【請求項１２】
基地局装置と無線通信を行なう移動局装置であって、
受信品質を表す受信品質情報および前記基地局装置で送信信号を前処理するために用いられる送信信号前処理情報を含むフィードバック情報を生成するフィードバック情報制御部と、
前記生成されたフィードバック情報を前記基地局装置に対して送信する送信部と、を備え、
前記送信部は、前記基地局装置から送信信号前処理情報を送信するために割り当てられた第１の通信リソースで送信信号前処理情報を送信せず、同じ送信タイミングで前記第１の通信リソースとは異なる第２の通信リソースで送信信号前処理情報を送信した場合、前記第１の通信リソースで送信信号前処理情報を送信しなかったときから次に第１の通信リソースで送信信号前処理情報を送信するまでの間に送信する受信品質情報を、前記第２の通信リソースで送信した送信信号前処理情報を用いて算出することを特徴とする移動局装置。
【請求項１３】
基地局装置と移動局装置とが無線通信を行なう通信システムであって、
請求項１から請求項１２のいずれかに記載の移動局装置と、
前記移動局装置から受信した受信品質情報に基づいて、前記移動局装置に通信リソースを割り当てる基地局装置と、から構成されることを特徴とする通信システム。
【請求項１４】
移動局装置が、送信信号系列数情報、送信信号前処理情報および前記送信信号系列数情報と、送信信号前処理情報に基づいて算出した受信品質情報を含むフィードバック情報を、周期的に上りリンク制御チャネルを使用して基地局装置に送信する通信方法であって、
前記送信信号前処理情報が送信されなかった場合、
予め定義された送信信号前処理情報に基づいて前記受信品質情報を算出することを特徴とする通信方法。
【請求項１５】
前記送信信号系列数情報用に、割り当てられた上りリンク制御チャネルで、送信信号系列数情報および送信信号前処理情報が送信されなかった場合、予め定義した送信信号系列数情報と、予め定義した送信信号前処理情報を基に、受信品質情報を生成することを特徴とする請求項１４記載の通信方法。
【発明の詳細な説明】
【技術分野】
【０００１】
本発明は、基地局装置と移動局装置とが無線通信を行なう技術に関する。
【背景技術】
【０００２】
３ＧＰＰ（3rd Generation Partnership Project）は、Ｗ−ＣＤＭＡ（Wideband-Code Division Multiple Access）とＧＳＭ（Global System for Mobile Communications）を発展させたネットワークを基本とした携帯電話システムの仕様を検討・作成するプロジェクトである。３ＧＰＰではＷ−ＣＤＭＡ方式が第３世代セルラー移動通信方式として標準化され、順次サービスが開始されている。また、通信速度を更に上げたＨＳＤＰＡ（High-Speed Downlink Packet Access）も標準化され、サービスが開始されている。３ＧＰＰは、第３世代無線アクセス技術の進化（Evolved Universal Terrestrial Radio Access：以下、「Ｅ−ＵＴＲＡ」と呼称する。）が検討されている。【０００３】
Ｅ−ＵＴＲＡにおける上りリンク通信方式として、ＳＣ−ＦＤＭＡ（Single Carrier- Frequency Division Multiple Access）方式が検討されている。ＯＦＤＭＡ（Orthogonal Frequency Division Multiple Access）方式はマルチキャリアによる変調を行なうためＰＡＰＲ（Peak to Average Power Ratio）の特性が悪いが、ＳＣ−ＦＤＭＡ方式はシングルキャリア通信によりＰＡＰＲ特性に優れ、かつ、周波数スケジューリングが可能であり、移動局装置の低コスト化が求められるＥ−ＵＴＲＡにおいて有効である。Ｅ−ＵＴＲＡではＰＡＰＲ特性の劣化を防ぐため、複数のシングルキャリア信号を同時に送信しないという制約が設けられている。一例として、制御情報を送信する複数のチャネル（リソース）が同時に割り当てられた場合には、優先度の高い制御情報のみを一つのチャネルで送信し、その他の情報を送信しないという方法がとられる場合もある。【０００４】
Ｅ−ＵＴＲＡにおける下りリンク通信方式として、互いに直交するサブキャリアを用いてユーザ多重化を行なうＯＦＤＭＡ方式が提案されている。また、ＯＦＤＭＡ方式において、チャネル符号化等の適応無線リンク制御に基づく適応変復調・誤り訂正符号化方式（ＡＭＣＳ：Adaptive Modulation and Coding Scheme）といった技術が適用されている。【０００５】
ＡＭＣＳとは、高速パケットデータ伝送を効率的に行なうために、各移動局装置の伝搬路状況に応じて、誤り訂正の符号化率、データ変調多値数などの無線伝送パラメータを適応的に切り替える方式である。例えば、データ変調については、伝搬路状況が良好になるに従って、ＱＰＳＫ（Quadrature Phase Shift Keying）変調から、１６ＱＡＭ（Quadrature Amplitude Modulation）変調、６４ＱＡＭ変調など、より高い変調効率の多値変調方式に切り替えることで、移動通信システムの最大スループットを増大させることができる。【０００６】
また、ＯＦＤＭＡでは、通信可能な領域をサブキャリアに対応する周波数領域と時間領域とに分割することができる。この分割領域をいくつかにまとめたものはリソースブロックと呼ばれ、ひとつ、または、いくつかのリソースブロックを各移動局装置へ割り当て、複数の移動局装置を多重した通信を行なうことができる。【０００７】
基地局装置と各移動局装置とが、その要求に応じた最適な品質・速度での通信を行なうためには、各移動局装置の各サブキャリアにおける受信品質を考慮したリソースブロック割り当ておよび伝送方式の決定が必要である。伝送方式やスケジューリングは基地局装置が行なうことや、周波数分割複信（ＦＤＤ：Frequency Division Duplex）においては、下りリンクの伝搬路の状況は該当する移動局装置のみ知ることができることを考慮すると、各移動局装置は基地局装置に対して受信品質（移動局装置が受信可能なＭＣＳ：Modulation and Coding Scheme（変調・誤り訂正符号化方式）に相当するもの）のフィードバックを行なうことが必要となる。【０００８】
また、Ｅ−ＵＴＲＡにおいては通信路容量を増大するために、ＭＩＭＯ（Multiple Input Multiple Output）を利用したＳＭ（Spatial Multiplexing：空間多重）技術や、ＳＦＢＣ（Space-Frequency Block Code）といった送信ダイバーシティ技術を利用することが提案されている。ＭＩＭＯを利用すると、マルチパスの影響で空間として複数の伝搬路を形成し複数の情報を多重化して送信することや、複数の送信アンテナの電力を受信側で合成し、受信利得を得ることが可能となる。ここではこれらを総括してＭＩＭＯと呼ぶ。Ｅ−ＵＴＲＡでは、下りリンクにおいてＭＩＭＯによるＳＭおよび送信ダイバーシティの利用が想定されており、どの方式によって通信を行なうかは基地局装置および移動局装置間における伝搬路状況を考慮し決定される。【０００９】
ＭＩＭＯ・ＳＭの利用時において、各アンテナから送信される複数の空間多重系列は、受信機にて各送信アンテナと各受信アンテナ間における伝搬路を利用してそれぞれが分離される。ノイズ等の原因により分離が不完全であると特性劣化が発生するため、予め送信信号系列を基地局装置において前処理を行ない、各空間多重系列を分離しやすくすることが有効である。最適な送信信号前処理の系列は送受アンテナ間の伝搬路および周波数に依存するため、ＦＤＤでは受信品質情報と同様に基地局装置にて算出することができない。このため、Ｅ−ＵＴＲＡでは各移動局装置がＭＩＭＯ・ＳＭ通信時に送信信号を前処理するための系列を表す情報を基地局装置へフィードバックすることが検討されている。【００１０】
送信信号の前処理系列は送信信号系列数に対応した行列で表わされる。Ｅ−ＵＴＲＡではフィードバックビットの増大を避けるために、移動局装置と基地局装置で予め前処理系列の一覧表を共有し、この表の値を指し示すインデックスのみをやり取りすることが検討される。このインデックスのことを含め、送信信号前処理系列を特定する情報のことを送信信号前処理情報と呼ぶ。【００１１】
基地局装置から送信される前処理済みの下りリンク信号の特性は前処理の系列によって変化するため、基地局装置にフィードバックされるＭＣＳの情報（つまり受信品質情報）はある特定の送信信号前処理系列を利用することが前提とされたものとなる。具体的には基地局装置にフィードバックされる受信品質情報は、同時に、もしくは先行して送信される、もしくは仕様書等により決められた関数等で決定される送信信号前処理系列に対応づけて計算されたものを表す。【００１２】
また、ＭＩＭＯ・ＳＭにおいて、空間多重される信号系列数の情報についても移動局装置と基地局装置間の伝搬路に依存するものであり、状況に応じて可変となる。Ｅ−ＵＴＲＡでは、基地局装置から送信される信号を利用して移動局装置が受信可能な系列数を算出し、上記の受信品質情報、送信信号前処理情報と同様に基地局装置へのフィードバックを行なう。【００１３】
図１３は、従来の移動通信システムの基地局装置と移動局装置との間における処理の流れを示すタイミングチャートおよびシーケンスチャートである。図１３に示す例は、非特許文献１に記載された受信品質情報、送信信号前処理情報および送信信号系列数情報を周期的に送信するメカニズムを実施したものであり、周期的に割り当てられる上りリンク制御チャネル（ＰＵＣＣＨ：Physical Uplink Control Channel）において、各種フィードバック情報を送信する例でありサブフレーム１から１６におけるフィードバックが記載されている。【００１４】
ここでは、簡単のために下りリンク信号および上りリンクのデータ信号については省略し、また、移動局装置から基地局装置へ送信する肯定信号ＡＣＫ／否定信号ＮＡＣＫ（Positive Acknowledgement/Negative Acknowledgement）などのフィードバック情報も省略している。この例では、サブフレーム１より以前に上記の上りリンク制御チャネルのリソースが割り当てられていて、サブフレーム１を開始とし、３サブフレームごとにリソースが割り当てられている。このリソースを用いて送信される受信品質情報、送信信号前処理情報および送信信号系列数情報について、それぞれの送信タイミングは以下のとおりであり、基地局装置によって指定されたフォーマットにてフィードバックがなされる。【００１５】
この例において、送信信号系列数情報は、割り当てられたリソースのうち何回に１回送信されるかという情報が基地局装置から移動局装置へ通知され、サブフレーム１を先頭に、割り当てられたリソースのうち５回に１回送信するよう設定される。つまり、サブフレーム１および１６にて送信信号系列数情報が周期的に送信され、その時の送信信号系列数はそれぞれ３、４とする（ステップＳ７０１、Ｓ７０６）。送信信号系列数情報が送信された次のリソースでは、受信品質情報および送信信号前処理情報がサブフレーム４、１９にて送信される（ステップＳ７０２、Ｓ７０７）。その他のサブフレームでは受信品質情報のみ（ステップＳ７０３、Ｓ７０４、Ｓ７０５、Ｓ７０８）が送信される。ここで、送信される受信品質情報は、システムがサポートする帯域全体に対応するものでもよく、特定の周波数帯に限定されてもよい。周波数帯を特定する場合には、その位置情報を受信品質情報に含めて送信してもよい。【００１６】
このとき、受信品質情報および送信信号前処理情報は、直前に送信された送信信号系列数に対応する。つまり、サブフレーム４、７、１０、１３では、サブフレーム１で送信された送信信号系列数すなわち３に対応した受信品質情報および送信信号前処理情報が送信される。サブフレーム１９、２２では、サブフレーム１６で送信された送信信号系列数、すなわち４に対応した受信品質情報および送信信号前処理情報が送信される。ここで、「対応する」とは、空間多重される送信信号系列ごと（もしくはそのグループごと）にＭＣＳを変更する場合において、送信信号系列それぞれに対応した複数の受信品質情報を送信することや、送信信号系列ごとに決定される送信フォーマットを利用することなどを意味している。【００１７】
さらに、送信される受信品質情報は、直前に送信された送信信号前処理情報を利用した場合に受信できるＭＣＳに一致するものである。つまり、サブフレーム４、７、１０、１３では、サブフレーム４で送信された送信信号前処理情報すなわち「５番」で表わされる前処理系列にて送信信号を処理することを考慮した受信品質情報が送信される。サブフレーム１９、２２では、サブフレーム１９で送信された送信信号前処理情報、すなわち「６番」で表わされる前処理系列にて送信信号を前処理することを考慮した最適なＭＣＳ（すなわち受信品質情報）が送信される。【００１８】
一方、Ｅ−ＵＴＲＡでは、移動局装置の消費電力を抑えるために、移動局装置が必要な期間のみパワーオンして信号を受信するＤＲＸ（Discontinuous Reception：間欠受信）の手法がある。図１４は、ＤＲＸ制御の概要を示す図である。移動局装置は、ＤＲＸサイクル８０１（繰返し周期）間隔で、オン期間８０２（on-duration）と、ＤＲＸ機会８０３（opportunity for DRX）とを繰り返す。オン期間とＤＲＸサイクルが指定されるとＤＲＸ機会は一意に定まる。このオン期間は、ＰＤＣＣＨ（Physical Downlink Control Channel）をモニタリングするように定められている１サブフレームまたは複数サブフレームで構成される期間である。【００１９】
基地局装置は、オン期間において、上りリンクまたは下りリンクのリソース割当てを開始するためＰＤＣＣＨを送信する。オン期間にて上りリンクまたは下りリンクの初期送信データ（新データ）のスケジューリングを示すＰＤＣＣＨを受信した移動局装置は、オン期間を超えてある一定期間ＰＤＣＣＨをモニタリングする（８０４）。また、上りリンクデータまたは下りリンクデータの再送の可能性のある期間においては、移動局装置は、オン期間の範囲内外に関わらず、ＰＤＣＣＨをモニタリングする（８０５）。これらＰＤＣＣＨをモニタリングするために移動局装置が受信部を起動し、起きている状態の期間を活動期間（Active Time）と呼ぶ（８０６）。【００２０】
基地局装置は、移動局装置が活動期間の間にデータを送信する。基地局装置から移動局装置へは、予めＤＲＸサイクルの繰返し周期およびオン期間が通知され、移動局装置はその情報を基に予め周期的にパワーオンを繰り返すとともにＰＤＣＣＨの受信状況、およびデータの再送状況に応じてパワーオンする（非特許文献２参照）。【００２１】
上記のＤＲＸを考慮した場合において、従来の手法である非特許文献１記載の手続きによるフィードバックの一例について説明する。図１５は、従来の移動通信システムの基地局装置と移動局装置との間における処理の流れを示すタイミングチャートおよびシーケンスチャートである。図１５中のＳ９１２には、ＤＲＸが示されており、サブフレーム６から２１までが活動期間以外の期間（ここでは非活動期間と呼ぶ）に相当する。９１０に示されるとおり、各種フィードバック情報のリソースは、図１３の例と同様に、サブフレーム１、４、７、１０、１３、１６、１９、２２に割り当てられ、これらのリソースのうち５回に１回の頻度で送信信号系列数情報を送信するよう基地局装置により設定される。【００２２】
つまり、サブフレーム１および１６で送信信号系列数情報を、サブフレーム４、１９では受信品質情報と送信信号前処理情報を、サブフレーム７、１０、１３、２２では受信品質情報のみをフィードバックするよう設定が行なわれる。ただし、基地局装置から通知されるＤＲＸの非活動期間に合わせてフィードバックの停止を行なうため、移動局装置からのフィードバックはサブフレーム１、４、２２のみで行なわれ、それぞれ送信信号系列数（ステップＳ９０１）、受信品質情報および送信信号前処理情報（ステップＳ９０２）、受信品質情報（ステップＳ９０３）がフィードバックされる。【００２３】
しかし、サブフレーム２２（ステップＳ９０３）に対応する送信信号前処理情報は、サブフレーム１９であるが、サブフレーム１９は非活動期間に重なってしまい、サブフレーム２２（ステップＳ９０３）で送信される受信品質情報がどの送信信号前処理系列を利用して計算されたものなのかという情報を基地局装置は知ることができない。非特許文献２では、直前に送信された送信信号前処理情報に従って受信品質情報を計算し送信することが記載されているが、ＤＲＸ機会が伝搬路の変化速度に対して大きい場合、その送信信号前処理系列は最適なものから変化してしまっている可能性が高く、その結果としてスループット特性を低下させてしまう恐れがある。【００２４】
さらにＤＲＸによって送信信号前処理情報が送信されないケースと同様に、送信信号前処理情報がスケジュールされたタイミングにおいて他の優先度の高い情報を送信する必要があり、送信信号前処理情報を送信できない場合も発生する。このような場合においても上記と同様の問題が発生する。
【非特許文献１】3GPP TS 36.213 V8.2.0 (2008-03)Technical Specification 3rd Generation Partnership Project; Technical Specification Group Radio Access Network; Evolved Universal Terrestrial Radio Access (E-UTRA); Physical layer procedures (Release 8)
【非特許文献２】3GPP TS 36.321 V8.0.0 (2007-12) Technical Specification 3rd Generation Partnership Project; Technical Specification Group Radio Access Network; Evolved Universal Terrestrial Radio Access (E-UTRA) Medium Access Control (MAC) protocol specification (Release 8)
【発明の開示】
【発明が解決しようとする課題】
【００２５】
しかしながら、上述したような従来の技術においては、例えば移動局装置が周期的に送信する送信信号前処理情報の送信タイミングが間欠受信中などのような理由により送信不可能となった場合には送信信号前処理情報の送信が行なえず、間欠受信が終了した直後の受信品質情報がどのような送信信号前処理情報を利用して算出されたものなのかが基地局装置にはわからないという問題がある。【００２６】
この場合、間欠受信が開始される直前に送信された送信信号前処理情報に従った受信品質情報を移動局装置が送信するということも考えることができるが、例えば移動局装置の移動速度が速い場合、つまり伝搬路の変化が早い場合には送信信号前処理情報を送信できない状況において伝搬路の状況が変化し、それに伴い適切な送信信号前処理の系列も変化してしまう。これにより、受信品質情報自体が信頼性のないものになり、下りリンクの受信特性が劣化してしまうという問題点があった。さらに、最初に送信信号前処理情報を送信する場合、すなわち過去に一度も送信信号前処理情報を送信していない場合においては、この初回送信が行なえなくなると過去に送信した送信信号前処理情報を全く利用することができないため、送信信号前処理情報の存在を前提とした受信品質情報の算出ができないといった問題があった。なお、これは送信信号前処理情報と受信品質情報のみに限ったことでなく、過去に送信したフィードバック情報を利用して、現在のフィードバック情報を生成するような場合にも同様の問題が発生する。【００２７】
本発明は、このような実情に鑑みてなされたものであり、送信信号前処理情報の送信を行なうことができない場合に、その直後に行なわれる受信品質情報がどの送信信号前処理情報を利用して算出されたものなのかを明確にし、基地局装置が適切な通信リソース割り当てを行なうことができる移動局装置、通信システムおよび通信方法を提供することを目的とする。
【課題を解決するための手段】
【００２８】
（１）上記の目的を達成するために、本発明は、以下のような手段を講じた。すなわち、本発明の移動局装置は、受信品質情報を算出し、基地局装置に送信する移動局装置であって、前記受信品質情報を、前記基地局装置から送信される信号から算出した送信信号系列数情報および送信信号前処理情報に基づいて算出する方式、または、予め決められた送信信号系列数情報および送信信号前処理情報に基づいて算出する方式、のいずれか一方を選択して算出することを特徴とする。【００２９】
（２）また、本発明の移動局装置は、送信信号系列数情報、送信信号前処理情報および前記送信信号系列数情報と送信信号前処理情報に基づいて算出した受信品質情報を含むフィードバック情報を、周期的に上りリンク制御チャネルを使用して基地局装置に送信する移動局装置であって、前記送信信号前処理情報を送信しなかった場合、前記送信信号前処理情報を送信しなかったときから次に送信信号前処理情報を送信するまでの間に送信する受信品質情報を、予め定義された送信信号前処理情報を用いて算出することを特徴とする。【００３０】
（３）また、本発明の移動局装置は、送信信号系列数情報、送信信号前処理情報および前記送信信号系列数情報と送信信号前処理情報に基づいて算出した受信品質情報を含むフィードバック情報を、周期的に上りリンク制御チャネルを使用して基地局装置に送信する移動局装置であって、前記送信信号系列数情報および前記送信信号前処理情報を送信しなかった場合、前記送信信号系列数情報および前記送信信号前処理情報を送信しなかったときから、次に送信信号系列数情報および前記送信信号前処理情報を送信するまでの間に送信する受信品質情報を、予め定義された送信信号系列数情報および送信信号前処理情報に基づいて算出することを特徴とする。【００３１】
（４）また、本発明の移動局装置は、前記予め定義した前記送信信号前処理情報が、前記基地局装置から送信される信号によって設定されることを特徴とする。【００３２】
（５）また、本発明の移動局装置は、フィードバックする受信品質情報が、前記予め定義した送信信号系列数情報と、前記予め定義した送信信号前処理情報とに基づいて生成されたものであるか否かを示す情報をフィードバックすることを特徴とする。【００３３】
（６）また、本発明の移動局装置は、前記予め定義した送信信号系列数情報が、最小の値であることを特徴とする。【００３４】
（７）また、本発明の移動局装置は、前記予め定義した送信信号系列数情報が、最大の値であることを特徴とする。【００３５】
（８）また、本発明の移動局装置は、基地局装置と無線通信を行なう移動局装置であって、受信品質を表す受信品質情報および前記基地局装置で送信信号を前処理するために用いられる送信信号前処理情報を含むフィードバック情報を生成するフィードバック情報制御部と、前記生成されたフィードバック情報を前記基地局装置に対して送信する送信部と、を備え、前記送信部は、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に割り当てられた通信リソースを用いて、前記送信しなかった送信信号前処理情報を前記基地局装置に対して送信することを特徴とする。【００３６】
（９）また、本発明の移動局装置は、基地局装置と無線通信を行なう移動局装置であって、受信品質を表す受信品質情報および前記基地局装置で送信信号を前処理するために用いられる送信信号前処理情報を含むフィードバック情報を生成するフィードバック情報制御部と、前記生成されたフィードバック情報を前記基地局装置に対して送信する送信部と、を備え、前記送信部は、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間では、受信品質情報の送信を停止することを特徴とする。【００３７】
（１０）また、本発明の移動局装置は、送信信号系列数情報、送信信号前処理情報および前記送信信号系列数情報と、送信信号前処理情報に基づいて算出した受信品質情報を含むフィードバック情報を、周期的に上りリンク制御チャネルを使用して基地局装置に送信する移動局装置であって、前記送信信号前処理情報が送信されなかった場合、送信信号前処理情報の送信が不要な送信モードに基づいて受信品質情報を算出することを特徴とする。【００３８】
（１１）また、本発明の移動局装置は、前記送信信号前処理情報の送信が不要な通信モードにおいて、前記送信モードに対応した受信品質情報を送信することを特徴とする。【００３９】
（１２）また、本発明の移動局装置は、基地局装置と無線通信を行なう移動局装置であって、受信品質を表す受信品質情報および前記基地局装置で送信信号を前処理するために用いられる送信信号前処理情報を含むフィードバック情報を生成するフィードバック情報制御部と、前記生成されたフィードバック情報を前記基地局装置に対して送信する送信部と、を備え、前記送信部は、前記基地局装置から送信信号前処理情報を送信するために割り当てられた第１の通信リソースで送信信号前処理情報を送信せず、同じ送信タイミングで前記第１の通信リソースとは異なる第２の通信リソースで送信信号前処理情報を送信した場合、前記第１の通信リソースで送信信号前処理情報を送信しなかったときから次に第１の通信リソースで送信信号前処理情報を送信するまでの間に送信する受信品質情報を、前記第２の通信リソースで送信した送信信号前処理情報を用いて算出することを特徴とする。【００４０】
（１３）また、本発明の通信システムは、基地局装置と移動局装置とが無線通信を行なう通信システムであって、上記（１）から（１２）のいずれかに記載の移動局装置と、前記移動局装置から受信した受信品質情報に基づいて、前記移動局装置に通信リソースを割り当てる基地局装置と、から構成されることを特徴とする。【００４１】
（１４）また、本発明の通信方法は、移動局装置が、送信信号系列数情報、送信信号前処理情報および前記送信信号系列数情報と、送信信号前処理情報に基づいて算出した受信品質情報を含むフィードバック情報を、周期的に上りリンク制御チャネルを使用して基地局装置に送信する通信方法であって、前記送信信号前処理情報が送信されなかった場合、予め定義された送信信号前処理情報に基づいて前記受信品質情報を算出することを特徴とする。【００４２】
（１５）また、本発明の通信方法は、前記送信信号系列数情報用に、割り当てられた上りリンク制御チャネルで、送信信号系列数情報および送信信号前処理情報が送信されなかった場合、予め定義した送信信号系列数情報と、予め定義した送信信号前処理情報を基に、受信品質情報を生成することを特徴とする。
【発明の効果】
【００４３】
本発明によれば、移動局装置が、基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に送信する受信品質情報を、予め定義された送信信号前処理情報を用いて算出するので、移動局装置は、基地局装置に対して、予め定義された送信信号前処理情報に基づいた受信品質情報をフィードバックすることができる。これにより、移動局装置が対応関係の一致しない送信信号前処理情報と受信品質情報を利用して下りリンク信号を送信する場合に発生するバースト誤りを防ぐことが可能となる。
【図面の簡単な説明】
【００４４】
【図１】本発明の実施形態に係る基地局装置一構成例を示すブロック図である。
【図２】本発明の実施形態に係る移動局装置一構成例を示すブロック図である。
【図３】第１の実施形態に係る移動通信システムの基地局装置と移動局装置との間における時間とフィードバックする情報の関係を説明するためのタイミングチャートを示す図である。
【図４】第１の実施形態に係る移動通信システムの基地局装置と移動局装置との間におけるシーケンスチャートである。
【図５】第２の実施形態に係る移動通信システムの基地局装置と移動局装置との間における時間とフィードバックする情報の関係を説明するためのタイミングチャートを示す図である。
【図６】第２の実施形態に係る移動通信システムの基地局装置と移動局装置との間におけるシーケンスチャートである。
【図７】第３の実施形態に係る移動通信システムの基地局装置と移動局装置との間における時間とフィードバックする情報の関係を説明するためのタイミングチャートを示す図である。
【図８】第３の実施形態に係る移動通信システムの基地局装置と移動局装置との間におけるシーケンスチャートである。
【図９】第４の実施形態に係る移動通信システムの基地局装置と移動局装置との間における時間とフィードバックする情報の関係を説明するためのタイミングチャートを示す図である。
【図１０】第４の実施形態に係る移動通信システムの基地局装置と移動局装置との間におけるシーケンスチャートである。
【図１１】第５の実施形態に係る移動通信システムの基地局装置と移動局装置との間における処理の流れを説明するためのタイミングチャートを示す図である。
【図１２】第５の実施形態に係る移動通信システムの基地局装置と移動局装置との間におけるシーケンスチャートである。
【図１３】従来の移動通信システムの基地局装置と移動局装置との間における処理の流れを示すタイミングチャートおよびシーケンスチャートである。
【図１４】ＤＲＸ制御の概要を示す図である。
【図１５】従来の移動通信システムの基地局装置と移動局装置との間における処理の流れを示すタイミングチャートおよびシーケンスチャートである。
【符号の説明】
【００４５】
１  データ制御部
３  変調符号化部
４  送信信号前処理部
５  マッピング部
７  逆高速フーリエ変換（ＩＦＦＴ）部
１１  無線送信部
１２  アンテナ
１５  無線受信部
１７  高速フーリエ変換（ＦＦＴ）部
２１  逆離散フーリエ変換（ＩＤＦＴ）部
２２  復調復号化部
２３  データ抽出部
２５  スケジューラ部
２７  送信情報制御部
３１  変調符号制御部
３３  周波数選択スケジューラ部
３５  送信信号の系列数情報制御部
３６  送信信号前処理情報制御部
４１  データ制御部
４３  変調符号化部
４４  離散フーリエ変換（ＤＦＴ）部
４５  マッピング部
４７  逆高速フーリエ変換（ＩＦＦＴ）部
５１  無線送信部
５３  無線受信部
５５  ＦＦＴ部
５７  復調復号化部
６１  データ抽出部
６３  アンテナ
６５  フィードバック情報制御部
６７  受信品質情報生成部
６８  送信信号前処理情報生成部
６９  送信信号の系列数情報生成部
７１  受信品質測定部
【発明を実施するための最良の形態】
【００４６】
以下、本発明の実施形態について、図面を参照しながら説明する。なお、以下の説明において、本発明を移動通信システムに具現化する場合について説明するが、これに限定されるものではなく、移動通信方法としても成立するものである。【００４７】
（第１の実施形態）
本発明の第１の実施形態に係る移動通信システムは、基地局装置と移動局装置とから構成されている。図１および図２は、それぞれ、本実施形態に係る基地局装置および移動局装置の一構成例を示すブロック図である。図１に示すように、基地局装置は、データ制御部１、変調符号化部３、送信信号前処理部４、マッピング部５、逆高速フーリエ変換（ＩＦＦＴ）部７、無線送信部１１、無線受信部１５、高速フーリエ変換（ＦＦＴ）部１７、逆離散フーリエ変換（ＩＤＦＴ）部２１、復調復号化部２２、データ抽出部２３、送信情報制御部２７、アンテナ１２を備えている。【００４８】
送信情報制御部２７は、スケジューラ部２５、変調符号制御部３１、周波数選択スケジューラ部３３、送信信号の系列数情報制御部３５、送信信号前処理情報制御部３６を含んでいる。アンテナ１２はＭＩＭＯ・ＳＤＭ（Space Division Multiplexing）通信に必要となるアンテナ数を備えている。【００４９】
データ制御部１には、各移動局装置に送信される送信データと、制御データとが入力され、送信情報制御部２７からの指示に従って、それぞれのデータが逐次、移動局装置に送信される。出力データについて、ＭＩＭＯ・ＳＤＭが適用される場合には送信信号の系列数情報制御部３５の情報に従い、複数の送信系列に分けられる。【００５０】
変調符号化部３は、送信情報制御部２７による変調方式および符号化率に基づいて、データ制御部１から入力される信号に対して、変調処理や誤り訂正符号化処理を施し、送信信号前処理部４へ出力する。送信信号前処理部４は、変調符号化部３から入力される信号を、送信情報制御部２７から入力される制御情報に基づき処理し、マッピング部５に出力する。【００５１】
マッピング部５は、送信情報制御部２７から入力される周波数選択スケジューリング情報に基づいて、変調符号化部３から出力されるデータを、各サブキャリア上にマッピングし、逆高速フーリエ変換部７に出力する。逆高速フーリエ変換部７は、マッピング部５から出力されるデータに、逆高速フーリエ変換の処理を施し、時系列のベースバンドデジタル信号に変換し、無線送信部１１に出力する。【００５２】
逆高速フーリエ変換部７からの出力信号は、無線送信部１１においてデジタル／アナログ変換され、送信に適した周波数にアップコンバートされた後に、アンテナ１２を介して、各移動局装置に送信される。【００５３】
スケジューラ部２５は、各移動局装置が使用することのできるリソース領域、間欠送受信サイクル、送信データチャネルのフォーマット、バッファ状況などの制御情報に基づき、下りリンクのスケジューリング、上りリンクのスケジューリングを行なうとともに、送信信号系列数変更の制御を行なう。変調符号制御部３１は、移動局装置から送信される受信品質情報に基づいて、各データに施す変調方式、符号化率を決定する。【００５４】
周波数選択スケジューラ部３３は、移動局装置から送信されるフィードバック情報に基づいて、各データに施す周波数選択スケジューリングの処理を行なう。送信信号の系列数情報制御部３５は、移動局装置から送信される送信信号の系列数情報と自基地局装置のトラフィック状況などの情報に基づき、送信信号の系列数を決定する。送信信号前処理情報制御部３６は、移動局装置から送信される送信信号前処理情報に基づいて、送信データに施す前処理を決定する。【００５５】
送信情報制御部２７は、上位レイヤから入力される制御情報、データ抽出部２３から入力される制御情報を利用して、スケジューラ部２５、変調符号制御部３１、周波数選択スケジューラ部３３、送信信号の系列数情報制御部３５、送信信号前処理情報制御部３６、送信情報制御部２７の動作を制御する。それぞれの出力情報を管理しデータ制御部１、変調符号化部３、送信信号前処理部４、マッピング部５の動作に必要な制御情報を出力する。【００５６】
無線受信部１５は、アンテナ１２にて受信した信号をアナログ／デジタル変換し、ベースバンド信号へダウンコンバートした後に、高速フーリエ変換（ＦＦＴ）部１７へ出力する。高速フーリエ変換部１７は受信信号を処理時間単位ごとにフーリエ変換し、逆離散フーリエ変換部２１へ出力する。逆離散フーリエ変換部２１は、入力信号を移動局装置ごとに割り当てた帯域に分割して、逆フーリエ変換処理を行ない、ＳＣ−ＦＤＭＡ信号を再生した信号を復調復号化部２２へ出力する。【００５７】
復調復号化部２２は入力された信号を移動局装置ごとに復調・復号を行ない、データ抽出部２３へ出力する。データ抽出部２３では、復調復号化部２２からの入力信号について、送信情報制御部２７での制御情報生成に必要な情報、受信データ、上位レイヤで必要となる制御データに分割し出力する。【００５８】
一方、図２に示すように、移動局装置は、データ制御部４１、変調符号化部４３、離散フーリエ変換（ＤＦＴ）部４４、マッピング部４５、逆高速フーリエ変換（ＩＦＦＴ）部４７、無線送信部５１、無線受信部５３、高速フーリエ変換（ＦＦＴ）部５５、復調復号化部５７、データ抽出部６１、アンテナ６３を備えている。フィードバック情報制御部６５は、受信品質情報生成部６７、受信品質測定部７１、送信信号前処理情報生成部６８、送信信号の系列数情報生成部６９を備えている。アンテナ６３はＭＩＭＯ・ＳＤＭ通信に必要となるアンテナ数を備えている。【００５９】
データ制御部４１には、基地局装置に送信される送信データと、制御データと、フィードバック情報制御部６５から出力されるフィードバック情報とが入力され、それぞれのデータが逐次、基地局装置に送信される。【００６０】
変調符号化部４３は、データ制御部４１から入力される信号に変調処理や誤り訂正符号化処理を施し、各データを離散フーリエ変換部４４に出力する。離散フーリエ変換部４４は、変調符号化部４３から入力される信号についてフーリエ変換処理を行ない、ＳＣ−ＦＤＭＡを行なうための信号を生成し、マッピング部４５へ出力する。マッピング部４５は、離散フーリエ変換部４４から入力されるデータを、基地局装置より割り当てられたサブキャリア上にマッピングし、逆高速フーリエ変換部４７に出力する。【００６１】
逆高速フーリエ変換部４７は、マッピング部４５から入力されるシンボル系列に逆高速フーリエ変換の処理を施し、時系列のベースバンドデジタル信号に変換し、無線送信部５１に出力する。逆高速フーリエ変換部４７からの出力信号は、無線送信部５１においてデジタル／アナログ変換され、送信に適した周波数にアップコンバートされた後に、アンテナを介して、基地局装置に送信される。【００６２】
受信品質測定部７１は、基地局装置から受信する信号の受信品質を測定する。受信品質情報生成部６７は、受信品質測定部７１によって測定された情報に基づいて、基地局装置に送信する受信品質情報を生成する。送信信号前処理情報生成部６８は、基地局装置から受信した信号を利用して伝搬路情報を算出し、基地局装置で行なうべき送信信号に対する前処理の情報を生成する。送信信号の系列数情報生成部６９は、基地局装置から受信した信号を利用して伝搬路情報を算出し、基地局装置と通信可能な送信系列数を算出する。【００６３】
フィードバック情報制御部６５は、受信品質情報生成部６７、送信信号前処理情報生成部６８、送信信号の系列数情報生成部６９が生成する制御信号を管理し、データ制御部４１へ出力する。フィードバック情報制御部６５にて管理されるフィードバック情報は、ここに記載されている信号の生成および制御に限られるものではなく、その他の種類のフィードバック情報を管理するための部位を含んでもよい。【００６４】
図３は、第１の実施形態に係る移動通信システムの基地局装置と移動局装置との間における処理の流れを説明するためのタイミングチャートを示す図であり、図４は、第１の実施形態に係る移動通信システムの基地局装置と移動局装置との間におけるシーケンスチャートである。図３および図４に示すように、受信品質情報、送信信号前処理情報、送信信号系列数情報は、基地局装置から移動局装置に対して行なわれる上り制御チャネルリソース割り当てが行なわれたサブフレームでのみ送信される。また、ここでは、受信品質情報と送信信号前処理情報は同時に送信できるが、この２つの情報と送信信号系列信号は同時には送信されない。【００６５】
なお、送信信号前処理情報は送信信号系列数情報に依存し、また、受信品質情報は送信信号前処理情報と送信信号系列数情報の両方に依存するため、情報としての優先度および順番は送信信号系列数情報＞送信信号前処理情報≧受信品質情報として扱うことにする。ここで、優先度とは、同時のサブフレームでの送信が発生した場合に、優先度の低い情報が送信されない可能性があることを示している。また、優先度がイコールとなる場合とは、それぞれの情報を同時のサブフレームで送信する可能性があることを意味している。【００６６】
図３および図４においては、一例として上り制御チャネルリソース割り当ては３サブフレーム毎に割り当てられている。そのうち送信信号系列数情報は上り制御チャネルリソース割り当てが４回行なわれる毎に１回送信される。送信信号系列数情報が送信された次の上り制御チャネルリソースでは、この送信信号系列数情報を利用した受信品質情報と送信信号前処理情報が送信される。それ以降の送信信号系列数情報が送信されるまでの上り制御チャネルリソース割り当てられた時（２回）には先行して送信された送信信号系列数情報と送信信号前処理系列を利用して計算された受信品質情報が周期的に送信される。【００６７】
なお、本発明において送信に利用するチャネルの種類が問われるわけでなく、複数の種類のチャネルが利用されてもよい。また、ここでは送信信号系列数情報、送信信号前処理情報、受信品質情報を送信するリソースを一括で割り当てているが、割り当て方法はこれに限られるものではなく、それぞれに個別のリソースを割り当ててもよい。【００６８】
図３および図４を使って、本実施形態に係る移動通信システムの動作を説明する。基地局装置は、移動局装置が、受信品質情報、送信信号前処理情報、送信信号系列数情報を送信するための上り制御チャネルのリソースを、例えば、無線資源制御信号（ＲＲＣシグナリング、ＲＲＣ：Radio Resource Control）を使用して継続的・長期的に割り当てることができる。継続的・長期的とは一度のシグナリングで時間的に異なるタイミングのリソースが複数個割り当てられることを意味する。なお、上り制御チャネルリソースの割り当て方法は、ＲＲＣシグナリングに限られるわけではなく、その他の方法を利用してもよい。【００６９】
まず、最初に上り制御チャネルリソースが割り当てられたサブフレーム１にて、送信信号系列数情報が、移動局装置から基地局装置に対してフィードバックされる（ステップＳ４１）。ここでは、移動局装置が、送信信号系列数情報の送信をサブフレーム１から送信しているが、移動局装置が、受信品質情報、送信信号前処理情報、送信信号系列数情報の送信を開始するサブフレームは、基地局装置によって設定されるオフセット値などによって設定することができる。【００７０】
次の上り制御チャネルリソース割り当てが行なわれたサブフレーム４では、サブフレーム１にて基地局装置に送信された送信信号系列数情報（＝３）に対応した受信品質情報および送信信号前処理情報が移動局装置から基地局装置に対して送信される（ステップＳ４２）。サブフレーム７およびサブフレーム１０は上り制御チャネルリソース割り当てが行なわれたサブフレームであるが、この期間はＤＲＸの非活動期間に属するため、受信品質情報および送信信号前処理情報はフィードバックされない。【００７１】
次に、サブフレーム１３では送信信号系列数情報をフィードバックするタイミングではあるが、ＤＲＸの非活動期間であるため、同様にフィードバックは行なわれない（ステップＳ４３）。移動局装置は、ＤＲＸの非活動期間が終了した次の上り制御チャネルリソース割り当てが行なわれたサブフレーム１６にて送信信号系列数情報（＝２）のフィードバックを行なう（ステップＳ４４）。また、このとき、本来サブフレーム１６では、受信品質情報および送信信号前処理情報のフィードバックタイミングではあるが、送信信号系列情報が優先的にフィードバックされるため、これらのフィードバックは行なわれない（ステップＳ４４）。【００７２】
そして、その次の上り制御チャネルリソース割り当てが行なわれたサブフレーム１９では、サブフレーム１６で送られるはずであった受信品質情報および送信信号前処理情報（＝５）が基地局装置にフィードバックされる（ステップＳ４５）。このとき、受信品質情報および送信信号前処理情報はサブフレーム１６で送信された送信信号系列数情報（＝２）に対応している。サブフレーム２２では、サブフレーム１６で送信された送信信号系列数情報（＝２）およびサブフレーム１９で送信された送信信号前処理情報（＝５）に対応した受信品質情報が送信される（ステップＳ４６）。ここでは、サブフレーム１９で送信しようとしていた受信品質情報を送信してもよく、サブフレーム２２で送信しようとしていた受信品質情報を送信してもよい。【００７３】
次に、サブフレーム２５にて、送信信号系列数情報（＝４）が、移動局装置から基地局装置に対してフィードバックされる（ステップＳ４７）。そして、次の上り制御チャネルリソース割り当てが行なわれたサブフレーム２８では受信品質情報および送信信号前処理情報を基地局装置に送信するリソースが割り当てられているが、これらより優先度の高い情報が送信されるため、これらの情報の送信が中止される（ステップＳ４８）。優先度の高い情報とは、スケジューリングリクエスト（ＳＲ：Scheduling Request）や、基地局装置により指定されるＰＵＳＣＨ（Physical Uplink Shared Channel）を用いた一度きりの詳細な受信品質情報（送信信号前処理情報や送信信号系列数情報が含まれてもよい）送信などのことである。または、前述のＤＲＸの非活動期間についても同様である。サブフレーム３１では、受信品質情報のみを送信することを想定したリソースの割り当てがされているが、サブフレーム２８で送信されなかった受信品質情報と送信信号前処理情報が送信される（ステップＳ４９）。【００７４】
このように、本発明の第１の実施形態に係る移動通信システムによれば、送信信号系列数情報の送信タイミングとなるサブフレームがＤＲＸの非活動期間中などの理由により、送信信号前処理情報のフィードバックができない場合でも、送信ができない期間が終了した次の上り制御チャネルリソース割り当てがあるサブフレームにて送信信号前処理情報をフィードバックする。これにより、送信できない期間が終了した後に基地局装置が正しい送信信号前処理情報を知ることができ、その後に送信される受信品質情報に基づき適切な下り通信を行なうことができる。【００７５】
（第２の実施形態）
次に、本発明の第２の実施形態に係る移動通信システムについて図面を参照しながら説明する。本発明の第２の実施形態に係る移動通信システムにおいては、ＤＲＸの非活動期間中などの理由で送信前処理情報フィードバックが行なえなかったタイミングから、次の送信新信号前処理情報がフィードバックされるタイミングの間においてフィードバックされる受信品質情報は、あらかじめ基地局装置と移動局装置で取り決められた送信信号前処理情報が利用されたと暗黙に解釈し、移動局装置および基地局装置がそれぞれ処理を行なうという点で、第１の実施形態に係る移動通信システムと相違する。なお、基地局装置および移動局装置の構成は図１および図２に示すものと同じである。【００７６】
図５は、第２の実施形態に係る移動通信システムの基地局装置と移動局装置との間における処理の流れを説明するためのタイミングチャートを示す図であり、図６は、第２の実施形態に係る移動通信システムの基地局装置と移動局装置との間におけるシーケンスチャートである。図５および図６に示すように、本実施形態に係る移動通信システムにおいても、サブフレーム１から１３までの動作（ステップＳ６１〜ステップＳ６３）は、第１の実施形態と同様の動作になるため説明を省略する。本実施形態において、ＤＲＸの非活動期間はサブフレーム１６まで継続され、ここに割り当てられていた上りリンク制御チャネルリソースで送信するはずだった受信品質情報と送信信号前処理情報の送信は行なわれない。【００７７】
移動局装置は、サブフレーム１９においてＤＲＸの非活動期間が終了してから、サブフレーム２５において次の送信信号系列情報（＝４）のフィードバックが行なわれるまでの間、次の動作を行なう。すなわち、上りリンク制御チャネルリソース割り当てが発生するサブフレーム１９およびサブフレーム２２において、予め定義された送信信号系列数情報と送信信号前処理情報を利用した受信品質情報を基地局装置にフィードバックする（ステップＳ６４、Ｓ６５）。ここで、予め定義された送信信号系列数情報とは、例えば、移動局装置からフィードバックされる情報の情報量が最も少なくなる送信信号系列数＝１（最小の値）や、最も伝搬路を効率的に使用することができる（最大のスループットを得ることが出来る）送信信号系列数＝４（最大の値）などであり、基地局装置、移動局装置の間で事前に仕様書などによって定義することができる。また、予め定義された送信信号前処理情報とは移動局装置と基地局装置で予め共有している系列のテーブルを指し示すインデックスを、仕様書等で決めておくこと、もしくは、基地局装置と移動局装置の通信の際に基地局から通知されることでもよい。【００７８】
そして、基地局装置は、ＤＲＸの非活動期間が終了してから、移動局装置からの次の送信系列数情報のフィードバックが行なわれるまでの間にフィードバックされた受信品質情報および送信前処理情報について、送信系列情報が予め決められた値（例えば、送信信号系列数＝１（最小の値）や送信信号系列数＝４（最大の値））、および送信前処理情報が予め決められた値（例えば、５番）に対応されたものとして処理を行なう。【００７９】
サブフレーム２５にて送信信号系列数情報（＝４）が移動局装置からフィードバックされた後（ステップＳ６６）、次の上り制御チャネルリソース割り当てが行なわれたサブフレーム２８では受信品質情報および送信信号前処理情報を基地局装置に送信するリソースが割り当てられているが、これらより優先度の高い情報が送信されるため、これらの情報の送信が中止される（ステップＳ６７）。優先度の高い情報とは、スケジューリングリクエスト（ＳＲ：Scheduling Request）や、基地局装置により指定されるＰＵＳＣＨを用いた一度きりの詳細な受信品質情報（送信信号前処理情報や送信信号系列数情報が含まれてもよい）送信などのことである。または、前述のＤＲＸの非活動期間についても同様である。サブフレーム３１では、受信品質情報のみを送信することを想定したリソースの割り当てがされているが、ここでは、送信信号系列数はサブフレーム２５で送信された送信信号系列数＝４を、送信前処理情報については予め決められた値（例えば系列を指し示すインデックスが５番）に対応されたものを前提として受信品質情報を算出し、これを基地局装置へ送信する（ステップＳ６８）。【００８０】
なお、図５および図６では、ＤＲＸ非活動期間終了後などにより、送信信号前処理情報が送信できなかったタイミングから、その次の送信信号前処理情報がフィードバックされるまでの間の、予め決められた送信系列数情報の値を、一例としてインデックス５番で表わされる前処理情報を設定して説明しているが、上記で説明した通り、事前に仕様書などで定義することができる。【００８１】
なお、本実施の形態では、予め決められた送信信号前処理情報はサブフレームにおいて固定の値として与えていたが、これは、サブキャリア番号やＳＣ−ＦＤＭＡシンボルなど、移動局装置と基地局装置が共有可能な値を入力とした関数として与えられてもよい。【００８２】
このように、本発明の第２の実施形態に係る移動通信システムによれば、送信信号前処理情報の送信タイミングとなるサブフレームがＤＲＸの非活動期間中などにより、送信信号前処理情報のフィードバックができない場合でも、ＤＲＸの非活動期間終了後からその次の送信信号前処理情報についての移動局装置からのフィードバックがあるまで、送信信号前処理情報を予め決められた値に対応した受信品質情報をフィードバックする。これにより、伝搬路の状況に適合しない送信信号前処理情報を用いた場合に発生するバースト誤りを防ぐことが可能となる。【００８３】
また、上記の第２の実施形態では、受信品質情報がどの時点で送信された送信信号前処理情報を利用して計算されたものかを表す情報について記載していないが、受信品質情報に「あらかじめ決められた送信信号前処理系列を利用したか」もしくは「送信された最新の送信信号前処理系列を利用したか」を表す情報を含めることもできる。フィードバックの周期に対して伝搬路の変化が小さい場合には、あらかじめ決められた送信信号前処理系列を利用するより、最近に送信された送信信号前処理情報を利用した前処理を行なう方が良い特性が得られる可能性が高い。これらを状況に応じて使い分けることにより、さらに特性を向上させることができる。【００８４】
（第３の実施形態）
次に、本発明の第３の実施形態に係る移動通信システムについて図面を参照しながら説明する。本発明の第３の実施形態に係る移動通信システムにおいては、ＤＲＸの非活動期間終了後から、次の送信信号系列数情報のフィードバックを行なうまでの間は、移動局装置が基地局装置に受信品質情報および送信前処理情報のフィードバックを行なわず、その間は基地局装置が予め決められた送信信号系列数にて下りリンクデータを送信するという点が第１および第２の実施形態と異なる。なお、基地局装置および移動局装置の構成は図１および図２に示すものと同じである。【００８５】
図７は、第３の実施形態に係る移動通信システムの基地局装置と移動局装置との間における処理の流れを説明するためのタイミングチャートを示す図であり、図８は、第３の実施形態に係る移動通信システムの基地局装置と移動局装置との間におけるシーケンスチャートである。図７および図８に示すように、本実施形態に係る移動通信システムにおいても、サブフレーム１から１６までの動作（ステップＳ８１〜ステップＳ８３）は、第２の実施形態と同様の動作になるため説明を省略する。【００８６】
次に、移動局装置は、ＤＲＸの非活動期間が終了した後、サブフレーム２８にて次の送信信号前処理情報がフィードバックされるまでの間、上り制御チャネルリソースが割り当てられたサブフレーム（サブフレーム１９、２２）でも、受信品質情報および送信前処理情報のフィードバックを行なわない（ステップＳ８４）。基地局装置は、ＤＲＸの非活動期間終了後から、次の送信信号前処理情報のフィードバックが行なわれるまでの間、予め決められた形式で下りリンクデータの送信を行なう。【００８７】
具体的には、サブフレーム２３では、基地局装置から移動局装置へ下りリンク信号の割り当てが制御チャネルで送信され、そこで指定されたリソースにおいて、下りリンク信号が送信される。このサブフレームにおいては、基地局装置において、予め決められた送信信号前処理情報を利用した信号送信が行なわれる。ここで、予め決められた形式とは、予め基地局装置と移動局装置できめられた送信信号系列を利用すること、もしくは移動局装置からフィードバックされる送信信号前処理情報が不要である送信ダイバーシティ（ＳＦＢＣ：Space Frequency Block Coding、ＳＴＢＣ：Space Time Block Coding、ＦＳＴＤ：Frequency-Space Transmit Diversity、ＴＳＴＤ：Time-Space Transmit Diversityなど）のことである。これらは送信基地局装置、移動局装置の間で事前に仕様書などによって定義することも可能であり、下りリンク信号とともに付与される制御情報により、その都度指定することも可能である。さらに、基地局装置によって（移動局装置ごとに個別、もしくは報知情報として）通知されることも可能である。【００８８】
そして、サブフレーム２５にて送信信号系列数情報（＝４）が移動局装置からフィードバックされ（ステップＳ８５）、サブフレーム２８にて送信信号前処理情報（＝２）が移動局装置からフィードバックされた（ステップＳ８６）後、サブフレーム３１において、そのフィードバックされた送信信号系列数情報（＝４）および送信信号前処理情報（＝２）に対応した受信品質情報がフィードバックされる（ステップＳ８７）。基地局装置は、サブフレーム３１以降において下りリンクデータを送信する場合、この送信系列数情報、受信品質情報、送信前処理情報を利用した適切な下りリンクデータの送信を実施する。【００８９】
このように、本発明の第３の実施形態に係る移動通信システムによれば、送信信号前処理情報の送信タイミングとなるサブフレームがＤＲＸの非活動期間中などの理由により、送信信号前処理情報のフィードバックができない場合には、フィードバックできなかった期間終了後から次の送信系列数情報のフィードバックを行なうまでの間、移動局装置が受信品質情報のフィードバックを行なわず、基地局装置が予め決められた形式にて下りリンクデータを送信する。これにより、利用されないフィードバック情報を送信するための電力消費を削減することができる。【００９０】
（第４の実施形態）
次に、本発明の第４の実施形態に係る移動通信システムについて図面を参照しながら説明する。本発明の第４の実施形態に係る移動通信システムにおいては、ＤＲＸの非活動期間などにより送信信号前処理情報を送信できなかった期間の終了後から、次の送信信号前処理情報のフィードバックを行なうまでの間は、移動局装置から送信する受信品質情報は予め決められた送信モードに対応するという点が、第１、第２および第３の実施形態と異なる。送信モードとはＳＦＢＣ、ＳＴＢＣ、ＦＳＴＤ、ＴＳＴＤなどの送信ダイバーシティや送信信号前処理情報のフィードバックが不要な、既知のパターンで送信信号前処理系列が変化する（もしくは送信信号の前処理を行なわない）開ループＭＩＭＯ（ＯＬ−ＭＩＭＯ：Open Loop Multi-Input Multi-Output）などのことを表す。なお、基地局装置および移動局装置の構成は図１および図２に示す第１の実施形態と同じである。【００９１】
図９は、第４の実施形態に係る移動通信システムの基地局装置と移動局装置との間における処理の流れを説明するためのタイミングチャートを示す図であり、図１０は、第４の実施形態に係る移動通信システムの基地局装置と移動局装置との間におけるシーケンスチャートである。図９および図１０に示すように、本実施形態に係る移動通信システムにおいても、サブフレーム１から１６までの動作（ステップＳ１０１〜Ｓ１０３）は、第２の実施形態と同様の動作になるため説明を省略する。【００９２】
次に、移動局装置は、ＤＲＸの非活動期間終了後から、サブフレーム２５にて次の送信系列数情報のフィードバックを行なうまでの間、以下の動作を行なう。すなわち、上り制御チャネルリソース割り当てが行なわれたサブフレーム（サブフレーム１９および２２）では、サブフレーム１３、１６で送信することをスケジュールされていた送信信号系列数情報および送信信号前処理情報が送信されなかったため、予め決められた送信モードに対応した受信品質情報（基地局装置から通知された通信モードに対応した受信品質情報）を送信する（ステップＳ１０４、Ｓ１０５）。予め決められた送信モードとは前述のとおり、送信ダイバーシティモード（ＳＦＢＣ、ＳＴＢＣ、ＦＳＴＤ、ＴＳＴＤ）やＯＬ−ＭＩＭＯが利用できる。このときの送信信号系列数は過去に送信された最新のもの（ここではサブフレーム１で送信された送信信号系列数＝３）を利用してもよく、予め基地局装置と移動局装置の間や仕様で決められた値を利用してもよい。さらに、空間多重を行なわないＳＦＢＣなどの送信モードを利用する場合は、送信信号系列数＝１が利用されることが前提となる場合もある。送信信号前処理情報のフィードバックが不要な送信モードを利用する場合には、受信品質情報の計算の前提となる送信信号系列数は規定されない。【００９３】
そして、サブフレーム２５において送信信号系列数情報（＝４）が移動局装置からフィードバックされる（ステップＳ１０６）。サブフレーム２８において受信品質情報と送信信号前処理情報を送信することがスケジュールされているが、他の優先度の高い情報の送信のため、これらをフィードバックしない（ステップＳ１０７）。サブフレーム３１において、受信品質情報を計算するための送信信号系列数情報（＝４）がサブフレーム２５におけるフィードバックにより得られているが、それに対応した送信信号前処理情報はサブフレーム２８により送信されていない。このため、サブフレーム１９および２２（ステップＳ１０４、Ｓ１０５）における動作と同様に、予め決められた送信モードに対応した受信品質情報を送信する。このとき、送信信号系列数情報はサブフレーム２５でのフィードバックにより送信を行なっているので、これに従った（送信信号系列数情報＝４）ＯＬ−ＭＩＭＯを行なってもよい。【００９４】
このように、本発明の第４の実施形態に係る移動通信システムによれば、送信信号前処理情報の送信タイミングとなるサブフレームがＤＲＸの非活動期間中などの理由により、送信信号前処理情報のフィードバックができない場合でも、フィードバックできなかった期間終了後から次の送信系列数情報のフィードバックを行なうまでの間、基地局装置が予め決められた送信モードに対応する受信品質情報を送信することで、伝搬路の状況に適合しない送信信号前処理情報を利用した通信による通信品質の低下を防ぐことができる。【００９５】
（第５の実施形態）
次に、本発明の第５の実施形態に係る移動通信システムについて図面を参照しながら説明する。本発明の第５の実施形態に係る移動通信システムにおいては、もしスケジュールされた送信信号前処理情報を送信できなかった原因が、別の手段による送信信号前処理情報の送信であった場合には、それに続いて送信される受信品質情報はその別の手段により送信された送信信号前処理情報に従うことが、第１、第２、第３および第４の実施形態と異なる。なお、基地局装置および移動局装置は図１および図２に示すものと同じである。【００９６】
図１１は、第５の実施形態に係る移動通信システムの基地局装置と移動局装置との間における処理の流れを説明するためのタイミングチャートを示す図であり、図１２は、第５の実施形態に係る移動通信システムの基地局装置と移動局装置との間におけるシーケンスチャートである。図１１および図１２ではサブフレーム１から１０までの動作が示されており、サブフレーム１から３つのサブフレームごとに送信信号系列数情報（サブフレーム１）、送信信号前処理情報と受信品質情報（サブフレーム４）、受信品質情報（サブフレーム７）、受信品質情報（サブフレーム１０）を送信する通信リソースが割り当てられている。ここでは、この手順で割り当てられた通信リソースおよびこれに従ったフィードバックを割り当てＡと呼ぶ。【００９７】
サブフレーム１では、割り当てＡに従い移動局装置から基地局装置へ送信信号系列数情報（＝３）が送信される（ステップＳ２０１）。次に、サブフレーム４では、割り当てＡに従い受信品質情報と送信信号前処理情報を送信することがスケジュールされているが、ここで、別の手段を用いて受信品質情報、送信信号前処理情報、送信信号系列数情報を同時に送信するよう割り込み要求される（割り当てＢ）。移動局装置はあらかじめ割り当てられていた通信リソースを破棄し、割り当てＢに従って受信品質情報、送信信号前処理情報、送信信号系列数情報を同時に送信する（ステップＳ２０２）。具体的には、割り当てＡはビット数の制限された物理上りリンク制御チャネル（ＰＵＣＣＨ：Physical Uplink Control Channel）をサブフレーム１、４、７、１０のように周期的に割り当てることに該当し、割り当てＢはＰＵＣＣＨで送信可能な情報量より多くのチャネル情報を基地局装置が要求するために、１度きりの物理上りリンク共有チャネル（ＰＵＳＣＨ：Physical Uplink Shared Channel）を用いた受信品質情報、送信信号前処理情報、送信信号系列数情報の送信を行なうことに該当する。【００９８】
サブフレーム７では、割り当てＡに従って割り当てられた通信リソースを利用して受信品質情報を送信する（ステップＳ２０３）。ここで、割り当てＡでは受信品質情報を計算する前提となる送信信号前処理情報は送信されていないが、サブフレーム４において割り当てＢに従った送信信号前処理情報が送信されている。そこで、サブフレーム７では、サブフレーム４で送信された送信信号前処理情報を利用して受信品質情報を計算し、これを基地局装置に送信する。なお、この受信品質情報の計算に従う際に利用される送信信号系列数情報は、サブフレーム１で送信されたものを用いてもよいし、サブフレーム４で送信されたものを用いてもよい。サブフレーム１０における動作はサブフレーム７の場合と同様である（ステップＳ２０４）。【００９９】
このように、本発明の第５の実施形態に係る移動通信システムによれば、送信信号前処理情報のフィードバックができない場合でも、そのタイミングにおいて別の手段にて送信信号前処理情報がフィードバックされるのであれば、次の送信系列数情報のフィードバックを行なうまでの間、基地局装置がフィードバックされた送信信号前処理情報を用いて受信品質情報を送信する。これにより、伝搬路の状況に適合しない送信信号前処理情報を利用した通信による通信品質の低下を防ぐことができる。【０１００】
なお、上記の第１から第５の実施形態では、受信品質情報と送信信号前処理情報を同一のタイミングで送信するようスケジュールを行なったが、これらを異なるサブフレームにスケジュールした場合においても、送信信号前処理情報が受信品質情報に先行して送信され、受信品質情報がこの送信信号前処理情報に従う場合には同様の処理を行なうことができる。【０１０１】
なお、上記の第１から第５の実施形態では、受信品質情報と送信信号前処理情報の関係について着目した説明を行なったが、本発明が適用できる情報の組み合わせは受信品質情報と送信信号前処理情報に限るものではない。例えば、受信品質情報に複数の種類があり（システム帯域幅に対応したものと、特定の帯域に対応するもの）、これらについても送信されるべき順序の対応関係が設定される場合には第１から第５の実施形態と同様の処理を行なうことができる。【０１０２】
なお、上記の第１から第５の実施形態では、割り当てられた第二回目以降の送信信号前処理情報の送信リソースについて説明を行なっているが、これはリソースの場所に限定されるものではない。具体的には、割り当てられた最初の送信信号前処理情報の送信リソースについても同様の処理を行なうことができる。【０１０３】
なお、上記の第１から第５の実施形態では割り当てられた最初の送信信号前処理情報の送信リソースにおいて、これを送信できなかった場合には常に同じ処理を行なっているが、条件によってこれらの処理を切り替えることも可能である。具体的には、割り当てられた最初の送信信号前処理情報の送信リソースにおいて、これを送信できなかった場合にのみ上記の第１から第５の実施形態で示した処理のうちの一つを適用し、その他の送信リソースにおいて送信信号前処理情報を送信できなかった場合には、最近に移動局装置から基地局装置へ送信された送信信号前処理情報が送信されたものとみなすことも可能である。【０１０４】
また、本発明は、以下の態様を採ることも可能である。すなわち、本発明の移動局装置は、基地局装置と無線通信を行なう移動局装置であって、受信品質を表す受信品質情報および前記基地局装置で送信信号を前処理するために用いられる送信信号前処理情報を含むフィードバック情報を生成するフィードバック情報制御部と、前記生成されたフィードバック情報を前記基地局装置に対して送信する送信部と、を備え、前記フィードバック情報制御部は、前記送信部が、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に送信する受信品質情報を、予め定義された送信信号前処理情報を用いて算出することを特徴としている。【０１０５】
このように、基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に送信する受信品質情報を、予め定義された送信信号前処理情報を用いて算出するので、基地局装置に対して、予め定義された送信信号前処理情報に基づいた受信品質情報をフィードバックすることができる。これにより、移動局装置が対応関係の一致しない送信信号前処理情報と受信品質情報を利用して下りリンク信号を送信する場合に発生するバースト誤りを防ぐことが可能となる。【０１０６】
また、本発明の移動局装置において、前記予め定義された送信信号前処理情報は、前記基地局装置から送信される信号によって設定されることを特徴としている。【０１０７】
このように、予め定義された送信信号前処理情報は、前記基地局装置から送信される信号によって設定されるので、基地局装置が主導で移動局装置に対して送信信号前処理情報を指定することができ、これにより干渉抑圧する効果を得ることができる。【０１０８】
また、本発明の移動局装置において、前記フィードバック情報制御部は、前記受信品質情報が予め前記基地局装置との間で定義された送信信号前処理情報に基づいて算出したものであるか、または前記基地局装置から受信した最新の送信信号前処理情報に基づいて算出したものであるかを示す情報を前記フィードバック情報に含めることを特徴としている。【０１０９】
このように、受信品質情報が予め基地局装置との間で定義された送信信号前処理情報に基づいて算出したものであるか、または基地局装置から受信した最新の送信信号前処理情報に基づいて算出したものであるかを示す情報を前記フィードバック情報に含めるので、伝搬路の変化に応じて好適な送信信号前処理情報を用いて受信品質情報を算出することが可能となる。すなわち、フィードバックの周期に対して伝搬路の変化が小さい場合は、予め決められた送信信号前処理情報を利用するよりも、基地局装置から受信した最新の送信信号前処理情報を利用した方が良い通信特性を得られる可能性が高い。このため、伝搬路の状況に応じて両者を使い分けることによって、通信特性の向上を図ることが可能となる。【０１１０】
また、本発明の移動局装置は、基地局装置と無線通信を行なう移動局装置であって、受信品質を表す受信品質情報および前記基地局装置で送信信号を前処理するために用いられる送信信号前処理情報を含むフィードバック情報を生成するフィードバック情報制御部と、前記生成されたフィードバック情報を前記基地局装置に対して送信する送信部と、を備え、前記送信部は、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に割り当てられた通信リソースを用いて、前記送信しなかった送信信号前処理情報を前記基地局装置に対して送信することを特徴としている。【０１１１】
このように、基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に割り当てられた通信リソースを用いて、送信しなかった送信信号前処理情報を基地局装置に対して送信するので、送信信号前処理情報を送信できない期間があっても、その期間が終了した後に、基地局装置に対して、送信信号前処理情報を送信することができる。これにより、基地局装置は、正しい送信信号前処理情報を得ることができ、その後に受信する受信品質情報に基づいて、適切な下り通信を行なうことが可能となる。【０１１２】
また、本発明の移動局装置は、基地局装置と無線通信を行なう移動局装置であって、受信品質を表す受信品質情報および前記基地局装置で送信信号を前処理するために用いられる送信信号前処理情報を含むフィードバック情報を生成するフィードバック情報制御部と、前記生成されたフィードバック情報を前記基地局装置に対して送信する送信部と、を備え、前記送信部は、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間では、受信品質情報の送信を停止することを特徴としている。【０１１３】
このように、基地局装置から送信信号前処理情報を送信するために割り当てられた通信リソースで送信信号前処理情報を送信しなかった場合、その送信信号前処理情報を送信しなかったときから次に送信信号前処理情報を送信するまでの間では、受信品質情報の送信を停止するので、移動局装置においては、利用されないフィードバック情報を送信するための電力消費量を削減することが可能となる。【０１１４】
また、本発明の移動局装置は、基地局装置と無線通信を行なう移動局装置であって、受信品質を表す受信品質情報および前記基地局装置で送信信号を前処理するために用いられる送信信号前処理情報を含むフィードバック情報を生成するフィードバック情報制御部と、前記生成されたフィードバック情報を前記基地局装置に対して送信する送信部と、を備え、前記送信部は、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間、予め定義された送信モードに対応した受信品質情報を前記基地局装置に対して送信することを特徴としている。【０１１５】
このように、基地局装置から送信信号前処理情報を送信するために割り当てられた通信リソースで送信信号前処理情報を送信しなかった場合、その送信信号前処理情報を送信しなかったときから次に送信信号前処理情報を送信するまでの間、予め定義された送信モードに対応した受信品質情報を基地局装置に対して送信し、これを基地局装置が利用してスケジューリングを行なうことができるため、伝搬路の状況に適合しない送信信号前処理情報を用いた場合に生ずる通信品質の低下を防ぐことが可能となる。【０１１６】
また、本発明の移動局装置において、前記送信部は、前記基地局装置から通知された通信モードに対応した受信品質情報を前記基地局装置に対して送信することを特徴としている。【０１１７】
このように、基地局装置から通知された通信モードに対応した受信品質情報を前記基地局装置に対して送信するので、基地局装置が主導で移動局装置に対して通信モードを指定することができ、基地局装置の状況に応じた最適な通信を実現することができる。【０１１８】
また、本発明の移動局装置において、前記通信モードでは、前記基地局装置に対して送信信号前処理情報の送信をせずに受信品質情報の送信を行なうことを特徴としている。【０１１９】
このように、基地局装置に対して送信信号前処理情報の送信をせずに受信品質情報の送信を行なうので、送信信号前処理情報のフィードバックが不要となり、通信リソースを有効に活用することが可能となる。【０１２０】
また、本発明の移動局装置は、基地局装置と無線通信を行なう移動局装置であって、受信品質を表す受信品質情報および前記基地局装置で送信信号を前処理するために用いられる送信信号前処理情報を含むフィードバック情報を生成するフィードバック情報制御部と、前記生成されたフィードバック情報を前記基地局装置に対して送信する送信部と、を備え、前記送信部は、前記基地局装置から送信信号前処理情報を送信するために割り当てられた第１の通信リソースで送信信号前処理情報を送信せず、同じ送信タイミングで前記第１の通信リソースとは異なる第２の通信リソースで送信信号前処理情報を送信した場合、前記第１の通信リソースで送信信号前処理情報を送信しなかったときから次に第１の通信リソースで送信信号前処理情報を送信するまでの間に送信する受信品質情報を、前記第２の通信リソースで送信した送信信号前処理情報を用いて算出することを特徴としている。【０１２１】
このように、基地局装置から送信信号前処理情報を送信するために割り当てられた第１の通信リソースで送信信号前処理情報を送信せず、同じ送信タイミングで前記第１の通信リソースとは異なる第２の通信リソースで送信信号前処理情報を送信した場合、前記第１の通信リソースで送信信号前処理情報を送信しなかったときから次に第１の通信リソースで送信信号前処理情報を送信するまでの間に送信する受信品質情報を、第２の通信リソースで送信した送信信号前処理情報を用いて算出するので、基地局装置に対して、第２の通信リソースで送信した送信信号前処理情報に基づいた受信品質情報をフィードバックすることができる。これにより、伝搬路の状況に適合しない送信信号前処理情報を用いた場合に生ずる通信品質の低下を防ぐことが可能となる。【０１２２】
また、本発明の通信システムは、基地局装置と移動局装置とが無線通信を行なう通信システムであって、請求項１から請求項９のいずれかに記載の移動局装置と、前記移動局装置から受信した受信品質情報に基づいて、前記移動局装置に通信リソースを割り当てる基地局装置と、から構成されることを特徴としている。【０１２３】
この構成により、基地局装置から送信信号前処理情報を送信するために割り当てられた通信リソースで送信信号前処理情報を送信しなかった場合、例えば、その送信信号前処理情報を送信しなかったときから次に送信信号前処理情報を送信するまでの間に割り当てられた通信リソースを用いて、送信しなかった送信信号前処理情報を基地局装置に対して送信することができる。これにより、送信信号前処理情報を送信できない期間があっても、その期間が終了した後に、基地局装置に対して、送信信号前処理情報を送信することができる。これにより、基地局装置は、正しい送信信号前処理情報を得ることができ、その後に受信する受信品質情報に基づいて、適切な下り通信を行なうことが可能となる。【０１２４】
また、本発明の通信方法は、基地局装置と移動局装置とが無線通信を行なう通信方法であって、前記移動局装置は、受信品質を表す受信品質情報および前記基地局装置で送信信号を前処理するために用いられる送信信号前処理情報を含むフィードバック情報を生成し、前記生成したフィードバック情報を前記基地局装置に対して送信し、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に送信する受信品質情報を、予め定義された送信信号前処理情報を用いて算出し、前記基地局装置は、前記移動局装置から受信した受信品質情報および予め定義された送信信号前処理情報を利用して送信信号を生成し、これを前記移動局装置に送信することを特徴としている。【０１２５】
このように、移動局装置が、基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に送信する受信品質情報を、予め定義された送信信号前処理情報を用いて算出するので、移動局装置は、基地局装置に対して、予め定義された送信信号前処理情報に基づいた受信品質情報をフィードバックすることができる。これにより、移動局装置が対応関係の一致しない送信信号前処理情報と受信品質情報を利用して下りリンク信号を送信する場合に発生するバースト誤りを防ぐことが可能となる。【０１２６】
また、本発明の通信方法は、基地局装置と移動局装置とが無線通信を行なう通信方法であって、前記移動局装置は、受信品質を表す受信品質情報および前記基地局装置で送信信号を前処理するために用いられる送信信号前処理情報を含むフィードバック情報を生成し、前記生成されたフィードバック情報を前記基地局装置に対して送信し、前記基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に割り当てられた通信リソースを用いて、前記送信しなかった送信信号前処理情報を前記基地局装置に対して送信し、前記基地局装置は、前記移動局装置から受信した受信品質情報および送信信号前処理情報を利用して送信信号を生成し、これを前記移動局装置に送信することを特徴としている。【０１２７】
このように、移動局装置が、基地局装置から送信信号前処理情報を送信するために割り当てられた通信リソースで送信信号前処理情報を送信しなかった場合、その送信信号前処理情報を送信しなかったときから次に送信信号前処理情報を送信するまでの間に割り当てられた通信リソースを用いて、送信しなかった送信信号前処理情報を基地局装置に対して送信するので、送信信号前処理情報を送信できない期間があっても、その期間が終了した後に、移動局装置は、基地局装置に対して、送信信号前処理情報を送信することができる。これにより、基地局装置は、正しい送信信号前処理情報を得ることができ、その後に受信する受信品質情報に基づいて、適切な下り通信を行なうことが可能となる。【０１２８】
以上、本発明の各実施形態について図面を参照して詳述してきたが、具体的な構成は上記実施形態に限定されるものではなく、この発明の要旨を逸脱しない範囲の設計等も特許請求の範囲に含まれる。
【図１】
2009157364.tif 000003
【図２】
2009157364.tif 000004
【図３】
2009157364.tif 000005
【図４】
2009157364.tif 000006
【図５】
2009157364.tif 000007
【図６】
2009157364.tif 000008
【図７】
2009157364.tif 000009
【図８】
2009157364.tif 000010
【図９】
2009157364.tif 000011
【図１０】
2009157364.tif 000012
【図１１】
2009157364.tif 000013
【図１２】
2009157364.tif 000014
【図１３】
2009157364.tif 000015
【図１４】
2009157364.tif 000016
【図１５】
2009157364.tif 000017
【国際調査報告】
2009157364.tif 000018
2009157364.tif 000019
2009157364.tif 000020
2009157364.tif 000021
2009157364.tif 000022
2009157364.tif 000023